(57)【要約】【課題】本発明は、吊り治具に関し、長尺な重量物を天井制限のある室内に効率的に搬入できる吊り治具を提供することが課題である。【解決手段】水平に吊持される細長い剛体からなる治具本体２と、該治具本体の一端部から垂設された吊持支柱３と、該吊持支柱の下端部に一端部を支持されるとともに前記治具本体とその長手方向に沿って平行に併設された棒状の載置基台４と、前記吊持本体の長手方向に沿って駆動装置により移動自在にされた走行装置の上部に治具吊持用のフック取付部が設けられて成る吊持位置調整用の走行ガーター装置８とからなり、全体として側面視形状がコ字形に形成されている吊り治具１とするものである。【選択図】  図１
2009126693.tif 000002
【特許請求の範囲】
【請求項１】
水平に吊持される細長い剛体からなる治具本体と、該治具本体の一端部から垂設された吊持支柱と、該吊持支柱の下端部に一端部を支持されるとともに前記治具本体とその長手方向に沿って平行に併設された棒状の載置基台と、前記吊持本体の長手方向に沿って駆動装置により移動自在にされた走行装置の上部に治具吊持用のフック取付部が設けられて成る吊持位置調整用の走行ガーター装置とからなり、
全体として側面視形状がコ字形に形成されていること、
を特徴とする吊り治具。
【請求項２】
載置基台は、複数本が所要の間隔をおいて併設されるとともに、その長手方向に伸縮自在であること、
を特徴とする請求項１に記載の吊り治具。
【請求項３】
走行ガーター装置は、治具本体の上部に固着されたアイビームのフランジ部にガイドローラが転動することで移動自在であり、駆動装置は制御装置を介して有線若しくは無線により遠隔操作されるものであること、
をとする請求項１乃至２のいずれかに記載の吊り治具。
【発明の詳細な説明】
【技術分野】
【０００１】
本発明は、例えば、長尺な中空部材，重量物、天井部にクレーンが利用できない等の制限のある室の奥に吊り込みたい搬入物などを効率的に搬入することのできる吊り治具に関するものである。
【背景技術】
【０００２】
従来、吊り治具２０としては、例えば、図８に示すように、所定間隔をおいて対向する一対の長尺部材２１でなるビーム本体２２と、このビーム本体２２に設けられ対象物Ａを保持するワイヤ２３の取付部２４と、前記長尺部材２１の間で長手方向に配設されるねじ棒２５と、このねじ棒２５に螺動されるとともに吊り上げ装置との連結部２６を備えた可動部２７とを備え、可動部２７は前記ねじ棒２５が回動することにより、ビーム本体２２の長尺方向にスライドし、位置調整されるものが知られている。
【特許文献１】特開平２００１−７２３７６号公報
【発明の開示】
【発明が解決しようとする課題】
【０００３】
しかし、従来の吊り治具２０では、図７に示すように、長い（４０フィート、約１２ｍ）コンテナ（海上コンテナ）２８のごとく、天井があって１箇所の入口から奥が深いものに対して、対象物Ａを保持するワイヤ２３が天井部に衝突することになって、搬入することが不可能である。また、単に長尺だけでなく容積が大きく重量も重い対象物Ａであると、フォークリフト等では持上げると重心が移動して全体が傾いてしまい、移動できないことがある。このように、従来、長尺で重い重量物を吊持して天井制限のある室に奥深く搬入できる吊り治具が見当たらなかった。本発明に係る吊り治具は、このような課題を解決するために提案されたものである。
【課題を解決するための手段】
【０００４】
本発明に係る吊り治具の上記課題を解決して目的を達成するための要旨は、水平に吊持される細長い剛体からなる治具本体と、該治具本体の一端部から垂設された吊持支柱と、該吊持支柱の下端部に一端部を支持されるとともに前記治具本体とその長手方向に沿って平行に併設された棒状の載置基台と、前記吊持本体の長手方向に沿って駆動装置により移動自在にされた走行装置の上部に治具吊持用のフック取付部が設けられて成る吊持位置調整用の走行ガーター装置とからなり、全体として側面視形状がコ字形に形成されていることである。
【０００５】
前記載置基台は、複数本が所要の間隔をおいて併設されるとともに、その長手方向に伸縮自在であることが好ましい。
更に、前記走行ガーター装置は、治具本体の上部に固着されたアイビームのフランジ部にガイドローラが転動することで移動自在であり、駆動装置は制御装置を介して有線若しくは無線により遠隔操作されるものであることを含むものである。
【発明の効果】
【０００６】
本発明の吊り治具によれば、長尺な重量物を、天井部にクレーンが利用できない等の制限のある室の奥にクレーンや天井クレーン等で吊り込みことが可能となり、作業効率が向上する。吊り上げる際に、吊り上げ対象物とこの吊り治具との重心位置に対して、吊り芯の位置が合致するように、走行ガーター装置によってフック取付部の位置を調節し、水平に対象物を吊り上げることができる。
また、載置基台が長手方向に伸縮自在にされていることで、吊り対象物の長さや搬入先の室の条件などに合わせて対応することができる。
【０００７】
更に、アイビームのフランジを利用してガイドローラが転動するように構成することで、簡易な構造にして低コストにて走行装置が設けられる。また、遠隔操作にて駆動装置を駆動できるので、大きな形状の吊り治具であって、高い位置にあるフック取付部にクレーンのフックを取り付けたままで床面等から走行ガーター装置を移動させることができて、吊り芯の位置合わせが容易に行える。
【発明を実施するための最良の形態】
【０００８】
本発明に係る吊り治具１は、図１乃至図２に示すように、水平に吊持される細長い剛体（一例として約７ｍ程度）、例えば、鋼材（円筒鋼管）からなる治具本体２と、該治具本体２の一端部から垂設された高さが約３．７ｍ程度の吊持支柱３と、該吊持支柱３の下端部に一端部を支持されるとともに前記治具本体２とその長手方向に沿って平行若しくは略平行に併設された棒状の鋼材から成る載置基台４と、前記吊持本体２の長手方向に沿って駆動装置５により移動自在にされた走行装置６の上部に治具吊持用のフック取付部７が設けられて成る吊持位置調整用の走行ガーター装置８とからなるものである。
【０００９】
前記吊り治具１は、全体として側面視形状がコ字形に形成されており、前記載置基台（タインと称することもある）４は、複数本、例えばこの一実施例では５本（４ａ〜４ｅ）が所要の間隔をおいて、全幅が約２ｍ程度で併設されるとともに、その長手方向に伸縮自在にされている。この伸縮自在にする方法としては、公知の手段である、例えば、重畳される内外の二重筒においてネジ式嵌合部による螺進方法や、所要の間隔で孔が設けられてそこに挿入されるピン等で位置合わせするようにして伸縮させるピッチ孔式等が採用されるものである。また、この載置基台４の先端部には、ワイヤなどを通したりする貫通孔４ｆが設けられている。
【００１０】
前記走行ガーター装置８は、前記治具本体２の上部に固着されたＩ型の梁であるアイビーム９のフランジ部９ａにガイドローラ１０が転動することで移動自在である。また、前記ガイドローラ１０を転動させる駆動装置５としては、制御部と、バッテリーなどの電源部とを備えて成るものである。
【００１１】
更に、走行装置６は、図３に示すように、電動モータ１１と、これに巻装される走行用チェーン１２と、ガイド用のアイドルホイール１３とで構成されている。前記走行用チェーン１２は、前記アイビーム９のフランジ部９ａの上面で、その長手方向に沿ってに張設されている。
【００１２】
また、この例に限らず、駆動装置５側に電動モータを更に備えて、走行装置６側にスプロケットを備え、これらを伝導チェーンで回転伝達するようにしても良い。なお、これらの走行装置６は、本件出願前の公知の他の走行用装置、例えば、回転自在なねじ棒とこれに螺合するナットと該ナットに係止される移動框体等によっても、同様に達成されるものである。
【００１３】
本発明の吊り治具１は、例えば、クレーン，天井クレーン，門型クレーン等の吊持装置で持ち上げられるものである。そこで、吊持する対象物Ａを吊り上げる際に、全体の重心位置が変化するので、図４に示すように、前記走行装置６を有線、若しくは、無線により制御装置を介して長手方向に移動ａさせるのである。これにより、フック取付部７の位置が、載置基台４に対象物Ａを吊持した状態での吊り芯の位置に移動され、吊り治具１及び対象物Ａが、略水平に維持されるようになるものである。
【００１４】
このような吊り治具１によって、図５（Ａ）に示すように、出入口が１箇所しかない、而も、奥の深い海外コンテナ２８に、中空部材であるコンクリート製パイル等の細長い複数本の対象物Ａを、各載置基台４ａ〜４ｅに差し込んで、クレーンで吊り治具１を持ち上げ、コンテナの中に纏めて搬入するものである。これにより、図７（Ａ），（Ｂ）に示すように、対象物Ａを上に段積みすることも容易に行える。
【００１５】
吊り治具１で取り扱う対象物Ａは、パイルのような中空部材に限らず、例えば、図５（Ｂ）に示すように、風袋が大きな重量物Ａの場合でも、フック取付部７の位置を吊り芯の位置に調節して、クレーンのフック１４ａを前記フック取付部７に掛けて、ワイヤ１４で吊り上げることができる。このように吊り芯位置で持ち上げるので、重心位置の関係で運搬が困難なリフト装置に替わって、安全に持ち上げることができる。この場合には、間隔のある載置基台４ａ〜４ｅの上に、平板な板を載置して、その上に対象物Ａを載せるようにしても良い。
【００１６】
また、図６に示すように、前記海外コンテナ２８に対象物Ａを搬入する場合に限らず、搬入先の対象物として、天井１５があってそのような制限がある建物などに対し、その奥に、対象物Ａを搬入したい場合にも、この全体コ字型の吊り治具１により、クレーンのワイヤ１４で吊り上げて搬入することが容易となる。
【図面の簡単な説明】
【００１７】
【図１】本発明に係る吊り治具１の側面図（Ａ）、底面図（Ｂ）である。
【図２】同本発明の吊り治具１の正面図である。
【図３】同吊り治具１における走行装置６の拡大詳細側面図である。
【図４】同吊り治具１の使用において、吊り芯を位置合わせすることを説明する説明図である。
【図５】同吊り治具１によって、長尺な重量物の対象物Ａを搬入する様子を示す使用例説明図（Ａ），（Ｂ）である。
【図６】同吊り治具１によって、天井１５の制限のある建物などに対象物Ａを搬入する様子を説明する説明図である。
【図７】出入口が一箇所しかないコンテナ等に長尺の対象物Ａを段積みする様子を示す説明図（Ａ）とその縦断面図（Ｂ）とである。
【図８】従来例に係る吊り治具２０による使用例を示す説明図である。
【符号の説明】
【００１８】
１          吊り治具、
２          治具本体、
３          吊持支柱、
４（４ａ〜４ｅ）              載置基台、        ４ｆ      貫通孔、
５          駆動装置、
６          走行装置、
７          フック取付部、
８          走行ガーター装置、
９          アイビーム、                        ９ａ      フランジ部、
１０        ガイドローラ、
１１        電動モータ、
１２        走行用チェーン、
１３        アイドルホイール、
１４        ワイヤ、                            １４ａ    フック、
１５        天井、
２０        従来の吊り治具、
２１        長尺部材、
２２        ビーム本体、
２３        ワイヤ、
２４        取付部、
２５        ねじ棒、
２６        連結部、
２７        可動部、  
２８        海外コンテナ、
Ａ          対象物。
【図１】
2009126693.tif 000003
【図２】
2009126693.tif 000004
【図３】
2009126693.tif 000005
【図４】
2009126693.tif 000006
【図５】
2009126693.tif 000007
【図６】
2009126693.tif 000008
【図７】
2009126693.tif 000009
【図８】
2009126693.tif 000010